(57)【特許請求の範囲】
【請求項１】
密閉された微少流体導管アセンブリを加工するための方法であって、前記方法は、
第１の導管の第１の軸方向端区画を第２の導管の第２の軸方向端区画と接触させることによって、前記第１の導管が前記第２の導管と流動的に連通する継手を形成することであって、可鍛性材料の層が、前記第１の軸方向端区画を同軸で囲繞し、外被が、前記可鍛性材料の層、前記第１の軸方向端区画、および前記第２の軸方向端区画を同軸で囲繞し、前記可鍛性材料の層は、前記第１の導管、前記第２の導管、および前記外被より低い硬度を有し、前記第１の導管および前記第２の導管はそれぞれ、０．０１ｍｍ〜２ｍｍの範囲にわたる内径を有する、ことと、
前記継手からある軸方向距離において半径方向力を前記外被の外側表面に印加することによって、前記可鍛性材料の層を前記継手に対して圧縮し、前記継手を流動的に密閉することであって、前記可鍛性材料の層は、流体密閉を形成する、ことと
を含む、方法。
【請求項２】
前記第１の導管および前記第２の導管は、異なる材料から成る、請求項１に記載の方法。
【請求項３】
前記第１の導管および前記第２の導管の一方は、電気伝導性材料から成り、他方は、電気絶縁材料から成る、請求項１に記載の方法。
【請求項４】
前記外被は、金属から成り、前記可鍛性材料の層は、ポリマーから成る、請求項１に記載の方法。
【請求項５】
前記可鍛性材料の層は、ＰＥＥＫまたはポリイミドを含む、請求項１に記載の方法。
【請求項６】
前記可鍛性材料の層を圧縮することは、前記可鍛性材料の一部を前記外被と前記第１の導管との間の環状開口部から押出し、さらに、前記押出された部分を除去することを含む、請求項１に記載の方法。
【請求項７】
前記可鍛性材料の層を圧縮することは、前記軸方向距離において、前記半径方向力を前記外側表面の周囲の複数の円周方向点に印加することを含む、請求項１に記載の方法。
【請求項８】
前記継手を形成することは、前記第１の軸方向端区画をフィルタの第１の側と接触させることと、前記第２の軸方向端区画を前記フィルタの反対の第２の側と接触させることとを含む、請求項１に記載の方法。
【請求項９】
請求項８に記載の方法に従って加工される密閉された微少流体導管アセンブリ。
【請求項１０】
前記第１の導管および前記第２の導管は、実質的に、同一の外径を有し、前記可鍛性材料の層は、前記第２の軸方向端区画を同軸で囲繞し、前記可鍛性材料の層を圧縮することは、前記外被の第１の端部に向かって第１の軸方向に、かつ前記外被の第２の端部に向かって反対の第２の軸方向に前記層を押出す、請求項１に記載の方法。
【請求項１１】
前記半径方向力を印加することは、前記継手から第１の軸方向距離において、第１の半径方向力を前記外側表面に印加することと、前記第１の軸方向距離に対して前記継手の反対側に、前記継手から第２の軸方向距離において、第２の半径方向力を前記外側表面に印加することとを含む、請求項１０に記載の方法。
【請求項１２】
前記可鍛性材料の層を圧縮することは、前記可鍛性材料の個別の部分を前記第１の端部および前記第２の端部から押出し、前記押出された部分を除去することをさらに含む、請求項１０に記載の方法。
【請求項１３】
前記可鍛性材料の層は、スリーブであり、前記継手を形成することは、前記第１の軸方向端区画および前記第２の軸方向端区画を前記スリーブの両端内に挿入することを含む、請求項１０に記載の方法。
【請求項１４】
前記可鍛性材料の層は、前記第１の軸方向端区画をコーティングする第１の部分と、前記第２の軸方向端区画をコーティングする第２の部分とを備え、前記継手を形成することは、前記第１の部分でコーティングされた前記第１の軸方向端区画と、前記第２の部分でコーティングされた前記第２の軸方向端区画とを前記外被の両端内に挿入することを含み、前記可鍛性材料の層を圧縮することは、前記第１の部分および前記第２の部分を相互に接触させるように押出す、請求項１０に記載の方法。
【請求項１５】
前記第１の導管は、前記第２の導管より小さい外径を有し、前記可鍛性材料の層は、前記第２の導管の端面に接触し、前記第１の導管と前記外被との間に介在され、前記可鍛性材料の層を圧縮することは、前記第１の軸方向端区画と半径方向に整合する場所において、前記外側表面に前記半径方向力を印加することを含み、前記可鍛性材料の層は、前記端面に対して圧縮される、請求項１０に記載の方法。
【請求項１６】
前記可鍛性材料の層は、スリーブであり、前記継手を形成することは、前記第１の軸方向端区画を前記スリーブ内に挿入することを含む、請求項１５に記載の方法。
【請求項１７】
前記可鍛性材料の層は、前記第１の軸方向端区画上にコーティングを備え、前記継手を形成することは、前記コーティングを伴う前記第１の軸方向端区画を前記外被の第１の端部内に挿入することと、前記第２の軸方向端区画を前記外被の反対の第２の端部内に挿入することとを含む、請求項１５に記載の方法。
【請求項１８】
前記第１の導管と前記第２の導管との間に形成された前記継手は、第１の継手であり、前記第１の導管と、前記第２の導管と軸方向に反対の第３の導管との間に第２の継手を形成することと、前記第２の継手からある軸方向距離において半径方向力を前記外被の前記外側表面に印加することによって、前記第２の継手に対して前記可鍛性材料の層を圧縮することとをさらに含む、請求項１に記載の方法。
【請求項１９】
請求項１８に記載の方法に従って加工される密閉された微少流体導管アセンブリと、前記密閉された微少流体導管アセンブリと流動的に連通する圧力センサとを備える流動モジュールであって、前記第１の導管の内径は、前記第２の導管および前記第３の導管の内径より小さい、流動モジュール。
【請求項２０】
請求項１に記載の方法に従って加工される密閉された微少流体導管アセンブリ。
【請求項２１】
請求項１に記載の方法に従って加工される密閉された微少流体導管アセンブリを備える電気スプレープローブであって、前記第１の導管は、電気伝導性材料から成る、電気スプレープローブ。
【発明の詳細な説明】
【技術分野】
【０００１】
（関連出願）
本出願は、２０１１年１１月１８日に出願された米国特許出願第１３／２９９，５０６号に対して優先権を主張する。上記文献は、全体として参照することによって本明細書において援用される。
【０００２】
（技術分野）
本発明は、概して、特に、微少流体用途において、流体導管をともに接続することに関する。
【背景技術】
【０００３】
（背景）
微少流体用途は、多くの場合、２つの元々別個の導管間に液密接続が生成されることを要求する。導管を接続するための従来の技法は、フェルールおよび他のタイプの機械加工された接手と、ＵＶ硬化性接着剤等のある接着剤との使用を含む。多くの問題が、特に、微少流体用途における、従来の流体接続に随伴する。フェルール等の機械加工された接手は、嵩張る傾向があり、したがって、多くの場合、狭い空間内への取付を要求する用途に好適ではない。機械加工された接手および接着剤は、典型的には、ＨＰＬＣ（高性能液体クロマトグラフィ）等の超高流体圧力を伴う微少流体用途では、容認可能なほど十分に長い耐用年数を提供しない。機械加工された接手および接着剤は、典型的には、異なる材料から作製される２つの導管または異なるサイズの２つの導管間に頑強な接続を提供することができない。
【０００４】
加えて、機械加工された接手および接着剤は、内径約数１０ミクロンを有する導管を要求する、低流動（マイクロスケールまたはナノスケール流動）用途において、容認可能な密閉完全性の流体接続を提供し得ない。本スケールの導管は、特に、低流動ＨＰＬＣシステム等の低流動分析用分離システム、および小スケール電気スプレープローブ（ＨＰＬＣシステムに連結され得る）等の大気圧イオン化法（ＡＰＩ）において利用される低流動イオン化デバイスにおいて望ましい。低流動体制は、急峻かつ高度に判別可能（低分散）である信号ピークが、流体流動中で搬送される検体から生成されることを保証するために、小断面流動面積を要求する。そのような用途において採用される流体接続は、高ピーク分解能を保証するように構成されるべきである。
【０００５】
したがって、導管、特に、微少流体用途における、導管間の改良された流体接続、ならびにそのような接続を採用するデバイスおよびアセンブリの継続的必要性が存在する。
【発明の概要】
【課題を解決するための手段】
【０００６】
（要約）
全体として、あるいは部分的に、前述の問題、および／または当業者によって観察され得る他の問題に対処するために、本開示は、一例として以下に記載される実施形態に説明されるような方法、プロセス、システム、装置、器具、および／またはデバイスを提供する。
【０００７】
一実施形態によると、密閉された微少流体導管アセンブリを加工するための方法は、第１の導管の第１の軸方向端区画を第２の導管の第２の軸方向端区画と接触させることによって、第１の導管が、第２の導管と流動的に連通する、継手を形成するステップであって、可鍛性材料の層が、第１の軸方向端区画を同軸で囲繞し、外被が、可鍛性材料の層、第１の軸方向端区画、および第２の軸方向端区画を同軸で囲繞し、可鍛性材料の層が、第１の導管、第２の導管、および外被より低い硬度を有する、ステップと、継手からある軸方向距離において、半径方向力を外被の外側表面に印加することによって、可鍛性材料の層を継手に対して圧縮し、継手を流動的に密閉するステップであって、可鍛性材料の層は、流体密閉を形成する、ステップとを含む。
【０００８】
別の実施形態によると、継手を形成するステップは、第１の軸方向端区画をフィルタの第１の側と接触させるステップと、第２の軸方向端区画をフィルタの反対の第２の側と接触させるステップとを含む。
【０００９】
別の実施形態によると、第１の導管と第２の導管との間に形成される継手は、第１の継手であって、本方法はさらに、第１の導管と第２の導管と軸方向に反対の第３の導管との間に第２の継手を形成するステップと、第２の継手からある軸方向距離において、半径方向力を外被の外側表面に印加することによって、可鍛性材料の層を第２の継手に対して圧縮するステップとを含む。
【００１０】
別の実施形態によると、流動モジュールは、本明細書に開示される方法のいずれかに従って加工される密閉された微少流体導管アセンブリと、密閉された微少流体導管アセンブリと流動的に連通する圧力センサとを含む。第１の導管の内径は、第２の導管および第３の導管のもの未満である。
【００１１】
他の実施形態によると、密閉された微少流体導管アセンブリが、提供される。密閉された微少流体導管アセンブリは、本明細書に開示される方法のいずれかに従って加工されてもよい。
【００１２】
別の実施形態によると、電気スプレープローブは、第１の導管が電気伝導性材料から成る、密閉された微少流体導管アセンブリを含む。密閉された微少流体導管アセンブリは、本明細書に開示される方法のいずれかに従って加工されてもよい。
【００１３】
本発明の他のデバイス、装置、システム、方法、特徴、および利点は、以下の図および発明を実施するための形態の検討によって、当業者に明白である、または明白となるであろう。全てのそのような付加的システム、方法、特徴、および利点は、本説明内に含まれ、本発明の範囲内であって、かつ付随の請求項によって保護されることが意図される。
本発明は、例えば、以下を提供する。
（項目１）
密閉された微少流体導管アセンブリを加工するための方法であって、前記方法は、
第１の導管の第１の軸方向端区画を第２の導管の第２の軸方向端区画と接触させることによって、前記第１の導管が前記第２の導管と流動的に連通する継手を形成することであって、可鍛性材料の層が、前記第１の軸方向端区画を同軸で囲繞し、外被が、前記可鍛性材料の層、前記第１の軸方向端区画、および前記第２の軸方向端区画を同軸で囲繞し、前記可鍛性材料の層は、前記第１の導管、前記第２の導管、および前記外被より低い硬度を有する、ことと、
前記継手からある軸方向距離において半径方向力を前記外被の外側表面に印加することによって、前記可鍛性材料の層を前記継手に対して圧縮し、前記継手を流動的に密閉することであって、前記可鍛性材料の層は、流体密閉を形成する、ことと
を含む、方法。
（項目２）
前記第１の導管および前記第２の導管は、異なる材料から成る、項目１に記載の方法。
（項目３）
前記第１の導管および前記第２の導管の一方は、電気伝導性材料から成り、他方は、電気絶縁材料から成る、項目１に記載の方法。
（項目４）
外被ドライバは、金属から成り、前記可鍛性材料の層は、ポリマーから成る、項目１に記載の方法。
（項目５）
前記可鍛性材料の層は、ＰＥＥＫまたはポリイミドを含む、項目１に記載の方法。
（項目６）
前記第１の導管および前記第２の導管はそれぞれ、０．０１ｍｍ〜２ｍｍの範囲にわたる内径を有する、項目１に記載の方法。
（項目７）
前記可鍛性材料の層を圧縮することは、前記可鍛性材料の一部を前記外被と前記第１の導管との間の環状開口部から押出し、さらに、前記押出された部分を除去することを含む、項目１に記載の方法。
（項目８）
前記可鍛性材料の層を圧縮することは、前記軸方向距離において、前記半径方向力を前記外側表面の周囲の複数の円周方向点に印加することを含む、項目１に記載の方法。
（項目９）
前記継手を形成することは、前記第１の軸方向端区画をフィルタの第１の側と接触させることと、前記第２の軸方向端区画を前記フィルタの反対の第２の側と接触させることとを含む、項目１に記載の方法。
（項目１０）
項目９に記載の方法に従って加工される密閉された微少流体導管アセンブリ。
（項目１１）
前記第１の導管および前記第２の導管は、実質的に、同一の外径を有し、前記可鍛性材料の層は、前記第２の軸方向端区画を同軸で囲繞し、前記可鍛性材料の層を圧縮することは、前記外被の第１の端部に向かって第１の軸方向に、かつ前記外被の第２の端部に向かって反対の第２の軸方向に前記層を押出す、項目１に記載の方法。
（項目１２）
前記半径方向力を印加することは、前記継手から第１の軸方向距離において、第１の半径方向力を前記外側表面に印加することと、前記第１の軸方向距離に対して前記継手の反対側に、前記継手から第２の軸方向距離において、第２の半径方向力を前記外側表面に印加することとを含む、項目１１に記載の方法。
（項目１３）
前記可鍛性材料の層を圧縮することは、前記可鍛性材料の個別の部分を前記第１の端部および前記第２の端部から押出し、前記押出された部分を除去することをさらに含む、項目１１に記載の方法。
（項目１４）
前記可鍛性材料の層は、スリーブであり、前記継手を形成することは、前記第１の軸方向端区画および前記第２の軸方向端区画を前記スリーブの両端内に挿入することを含む、項目１１に記載の方法。
（項目１５）
前記可鍛性材料の層は、前記第１の軸方向端区画をコーティングする第１の部分と、前記第２の軸方向端区画をコーティングする第２の部分とを備え、前記継手を形成することは、前記第１の部分でコーティングされた前記第１の軸方向端区画と、および前記第２の部分でコーティングされた前記第２の軸方向端区画とを前記外被の両端内に挿入することを含み、前記可鍛性材料の層を圧縮することは、前記第１の部分および前記第２の部分を相互に接触させるように押出す、項目１１に記載の方法。
（項目１６）
前記第１の導管は、前記第２の導管より小さい外径を有し、前記可鍛性材料の層は、前記第２の導管の端面に接触し、前記第１の導管と前記外被との間に介在され、前記可鍛性材料の層を圧縮することは、前記第１の軸方向端区画と半径方向に整合する場所において、前記外側表面に前記半径方向力を印加することを含み、前記可鍛性材料の層は、前記端面に対して圧縮される、項目１１に記載の方法。
（項目１７）
前記可鍛性材料の層は、スリーブであり、前記継手を形成することは、前記第１の軸方向端区画を前記スリーブ内に挿入することを含む、項目１６に記載の方法。
（項目１８）
前記可鍛性材料の層は、前記第１の軸方向端区画上にコーティングを備え、前記継手を形成することは、前記コーティングを伴う前記第１の軸方向端区画を前記外被の第１の端部内に挿入することと、前記第２の軸方向端区画を前記外被の反対の第２の端部内に挿入することとを含む、項目１６に記載の方法。
（項目１９）
前記第１の導管と前記第２の導管との間に形成された前記継手は、第１の継手であり、前記第１の導管と、前記第２の導管と軸方向に反対の第３の導管との間に第２の継手を形成することと、前記第２の継手からある軸方向距離において半径方向力を前記外被の外側表面に印加することによって、前記第２の継手に対して前記可鍛性材料の層を圧縮することとをさらに含む、項目１に記載の方法。
（項目２０）
項目１９に記載の方法に従って加工される密閉された微少流体導管アセンブリと、前記密閉された微少流体導管アセンブリと流動的に連通する圧力センサとを備える流動モジュールであって、前記第１の導管の内径は、前記第２の導管および前記第３の導管の内径より小さい、流動モジュール。
（項目２１）
項目１に記載の方法に従って加工される密閉された微少流体導管アセンブリ。
（項目２２）
項目１に記載の方法に従って加工される密閉された微少流体導管アセンブリを備える電気スプレープローブであって、前記第１の導管は、電気伝導性材料から成る、電気スプレープローブ。
【００１４】
本発明は、以下の図を参照することによってより理解され得る。図中の構成要素は、必ずしも、正確な縮尺ではなく、代わりに、本発明の原理の例証に応じて、強調される。図中、類似参照番号は、異なる図全体を通して、対応する部品を指す。
【図面の簡単な説明】
【００１５】
【図１Ａ】図１Ａは、組立の完了に先立った、一実施形態による、微少流体導管アセンブリの実施例の断面図である。
【００１６】
【図１Ｂ】図１Ｂは、組立完了後の、微少流体導管アセンブリの断面図である。
【００１７】
【図２Ａ】図２Ａは、組立の完了に先立った、別の実施形態による、微少流体導管アセンブリの実施例の断面図である。
【００１８】
【図２Ｂ】図２Ｂは、組立完了後の、微少流体導管アセンブリの断面図である。
【００１９】
【図３】図３は、別の実施形態による、微少流体導管アセンブリの実施例の断面図である。
【００２０】
【図４】図４は、４つの異なる電気スプレープローブに対する信号ピークのプロットであって、そのうち２つは、図３に図示される実施形態と一貫した様式で加工されたものである。
【００２１】
【図５】図５は、別の実施形態による、流動モジュールの概略図である。
【発明を実施するための形態】
【００２２】
本明細書で使用されるように、用語「微少流体導管」は、概して、内径わずか約２ｍｍを有する、導管（管、毛細管等）を指す。実際は、微少流体導管の内径は、約０．０１ｍｍ〜約２ｍｍの範囲であり得る。微少流体導管は、例えば、０．０２５ｍｍ、０．０５ｍｍ、０．１５ｍｍ、０．２ｍｍ、０．３ｍｍ等の異なる内径で市販されている。より一般的には、微少流体導管は、ナノスケール流速（ｎＬ／分）および／またはマイクロスケール流速（典型的には、最大数百μＬ／分）で流体を効果的に移送するために定寸される。分析用分離を伴う用途では、微少流体導管は、試料ピークデータの分散を最小限にするように定寸されるべきである。概して、長さが、所与の用途におけるその意図された目的のために十分である限り、微少流体導管の長さに制限はない。有意な長さの微少流体導管が、最初に提供され、その後、必要に応じて、所望のより短い長さに切断されてもよい。概して、外径が、所与の用途において想定される流体圧力に耐えるために要求される構造頑強性レベルを提供する壁厚をもたらす限り、微少流体導管の外径に制限はない。マイクロスケール（マイクロカラム）ＨＰＬＣ等のいくつかの用途では、流体圧力は、約数万ｐｓｉであり得る。コンパクト性のための特定の必要性を有する用途に対して、外径は、過度に大きくあるべきではなく、または想定される流体圧力のために必要とされるものを超えるべきではない。いくつかの実施形態では、微少流体導管の外径は、約０．１２５ｍｍ〜約２ｍｍの範囲であってもよい。微少流体導管は、例えば、０．１５、０．３６ｍｍ、１／３２インチ（約０．８ｍｍ）、１／１６インチ（約１．６ｍｍ）等の異なる外径で市販されている。
【００２３】
便宜上、用語「導管」は、本開示では、用語「微少流体導管」と交換可能に使用される。
【００２４】
便宜上、用語「直径」（「内径」および「外径」を含む）は、本明細書で使用されるように、概して、導管、管、毛細管、スリーブ、外被、層、コーティング、または同等物等の構成要素の任意の断面積の特性寸法（または、サイズ）を指す。典型的実施形態では、そのような構成要素は、用語「直径」が、そのような構成要素の特性寸法を正確に描写するように、円形断面を伴う円筒形である。しかしながら、そのような構成要素は、代替として、楕円形または多角形断面を有してもよいことを理解されたい。楕円形断面の特性寸法は、主軸と見なされ得る。多角形断面の特性寸法は、ある側面の主要長または幅、すなわち、２つの対角間の距離として見なされ得る。用語「直径」は、本明細書で使用されるように、断面の実際の形状にかかわらず、全てのそのようなタイプの特性寸法を包含し、したがって、円形断面を有する任意の所与の構成要素に限定することを意図しない。
【００２５】
図１Ａは、一実施形態による、組立の完了に先立った（特に、以下に説明されるように、半径方向圧縮力を印加する前の）、微少流体導管アセンブリ１００の実施例の断面図である。微少流体導管アセンブリ１００は、概して、第１の導管１０４、第２の導管１０８、可鍛性材料（または、可鍛性層１１２）の層１１２、および外被１１６を含む。典型的実施例では、前述の構成要素はそれぞれ、円筒形である。
【００２６】
第１の導管１０４および第２の導管１０８は、電気伝導性材料（例えば、ステンレス鋼等の金属）または電気絶縁材料から成ってもよい。本開示の文脈では、用語「電気絶縁材料」は、誘電材料を包含する。電気絶縁材料の非限定的実施例として、溶融石英等のセラミック、ＰＥＥＫ（ポリエーテルケトン）（例えば、ＰＥＥＫｓｉｌＴＭ管類）等のポリマーで被覆またはコーティングされた溶融石英等の複合材、および以下に説明される組立プロセスに耐えることが可能な硬度を有する、あるポリマーが挙げられる。第１の導管１０４および第２の導管１０８は、同一のまたは異なる組成物を有してもよい。第１の導管１０４および第２の導管１０８は、前述のような寸法を有する、微少流体導管であってもよい。本実施形態では、第１の導管１０４および第２の導管１０８の外径は、同一または実質的に同一である（例えば、０．０２ｍｍ以下だけ異なる）。以下に説明されるような他の実施形態では、第１の導管１０４および第２の導管１０８の外径は、異なる。第１の導管の内径１０４および第２の導管１０８は、同一または異なってもよい。
【００２７】
可鍛性層１１２は、以下に説明される方法に従って、半径方向圧縮力に曝されるとき、十分に可鍛性であって、第１の導管１０４、第２の導管１０８、および外被１１６の個別の硬度未満の硬度を有する、任意の材料から成ってもよい。本文脈では、用語「半径方向」は、第１の導管１０４および第２の導管１０８が配向される縦軸に直交する方向を指す。また、本文脈では、「硬度」の特性は、任意の一般的容認可能規格、例えば、ＡＳＴＭ  Ｉｎｔｅｒｎａｔｉｏｎａｌによって公布された現在の規格に従うＲｏｃｋｗｅｌｌ  Ｈａｒｄｎｅｓｓ試験に準拠して定量化されてもよい。本文脈における可鍛性の実施例として、可鍛性層１１２は、半径方向圧縮力に曝されるとき、外被１１６と第１の導管１０４および／または第２の導管１０８との間で拡張（または、「圧搾」）可能である。可鍛性層１１２のために利用される材料のいくつかの実施例として、ポリマーまたはエンジニアリングプラスチック、例えば、ＰＥＥＫおよびポリイミド等が挙げられるが、それらに限定されない。本文脈では、用語「ポリマー」は、コポリマーおよびポリマー混成物を包含する。故に、ＰＥＥＫ（または、ポリイミド）ポリマーは、ＰＥＥＫ（または、ポリイミド）を排他的に含むポリマー、あるいはＰＥＥＫ（または、ポリイミド）を含むコポリマーまたはポリマー混成物を包含してもよい。いくつかの実施形態では、半径方向圧縮に先立った可鍛性層１１２の壁の初期厚（半径方向に）は、０．０１０ｍｍ〜１ｍｍに及ぶ。
【００２８】
外被１１６は、以下に説明される組立プロセスに耐えることが可能な任意の硬質材料から成ってもよい。典型的実施形態１１６では、外被は、ステンレス鋼等の金属である。いくつかの実施形態では、外被１１６の軸方向長は、１ｍｍ〜１００ｍｍに及ぶ。
【００２９】
一実施形態によると、微少流体導管アセンブリ１００は、以下のように加工される。第１の導管１０４および第２の導管１０８、より具体的には、第１の導管１０４の第１の軸方向端区画１２０および第２の導管１０８の第２の軸方向端区画１２４が、継手（すなわち、突き合わせ継手）１２８を形成するように、その個別の軸方向端において、相互と接触させられる。第１の導管１０４および第２の導管１０８は、第１の導管１０４の内部が、継手１２８を通して、第２の導管１０８の内部と流動的に連通するような整合された様式において、接触させられる。本文脈では、用語「継手」は、概して、相互に接触させられた後の２つの軸方向端の界面または境界を指す。いくつかの実施形態では、可鍛性層１１２は、継手を形成するステップ１２８に応じて、第１の導管１０４および第２の導管１０８に接触する、スリーブの形態で提供される。スリーブは、第１の軸方向端区画１２０および／または第２の軸方向端区画１２４を同軸で囲繞してもよい。第１の導管１０４および第２の導管１０８が同一のまたは実質的に同一の外径を有する、本実施形態では、スリーブは、第１の軸方向端区画１２０および第２の軸方向端区画１２４の両方を同軸で囲繞する。したがって、本実施形態では、継手１２８は、可鍛性層１１２を外被１１６内に挿入し、相互に接触（すなわち、相互に当接）するまで、第１の軸方向端区画１２０および第２の軸方向端区画１２４を可鍛性層１１２の反対の軸方向端内に挿入することによって形成されてもよい。継手１２８は、次いで、次に説明されるように、半径方向圧縮技法を実装することによって、流動的に密閉される（液密継手を形成するように密閉される）。
【００３０】
図１Ｂは、組立完了後の、すなわち、半径方向圧縮力を印加後の、微少流体導管アセンブリ１００の断面図である。半径方向圧縮力は、継手１２８からある軸方向距離において、半径方向力を外被の外側表面１１６に印加することによって印加される。第１の導管１０４および第２の導管１０８が同一のまたは実質的に同一の外径を有する、本実施形態では、第１の半径方向力１３６は、継手１２８からある軸方向距離に位置する第１の軸方向位置（すなわち、第１の軸方向端区画１２０と半径方向に整合された外側表面のある場所）において印加されてもよく、第２の半径方向力１４０は、継手１２８からある軸方向距離に位置する第２の軸方向位置（すなわち、第１の軸方向位置に対して継手１２８の反対側にある、第２の軸方向端区画１２４と半径方向に整合された外側表面のある場所）において印加されてもよい。図１Ｂにおける矢印によって図式的に示されるように、個別の軸方向位置において、半径方向力１３６、１４０がそれぞれ、外被の外側表面１１６の周囲の複数の円周方向場所に印加されてもよい。便宜上、図１Ｂは、第１の軸方向位置における外被１１６上の２つの直径方向に反対の場所で印加される、第１の半径方向力１３６と、第２の軸方向位置における外被１１６上の２つの直径方向に反対の場所で印加される、第２の半径方向力１４０とを図示する。しかしながら、半径方向力１３６、１４０はそれぞれ、個別の軸方向位置において、円周の周囲の２つを上回る場所で印加されてもよいことを理解されたい。さらに、半径方向力１３６、１４０は、外被１１６の外側表面上の局所接触点で印加される必要はない。すなわち、半径方向力１３６、１４０を印加するために利用されるツール（例えば、セグメント化されたコレット等）が、ある均一度を伴って、外側表面の２つ以上の連続区画にわたって、半径方向力１３６、１４０を拡散させるように構造化されてもよい。さらに、半径方向力１３６、１４０は、外被１１６の円周の周囲に対称的に印加される必要はない。すなわち、半径方向力１３６、１４０が印加される、外側表面上の複数の場所は、相互から等しく円周方向に離間される必要はない。
【００３１】
全てのそのような場合において、半径方向力１３６、１４０の印加は、外被１１６の偏向された区画１４４、１４６によって、図１Ｂに描写されるように、外被１１６に可鍛性層１１２に対して重みをかけさせ、それによって、外被１１６と第１の軸方向端区画１２０および第２の軸方向端区画１２４との間の可鍛性材料１１２を半径方向に圧縮（または、「圧搾」）する。本半径方向圧縮に応答して、可鍛性材料は、「流動」可能である、全方向に押出される。特に、可鍛性材料は、継手１２８に対して圧縮され、それによって、２つの導管１０４および１０８の個別の軸方向端の界面間の既存のいかなる空間も充填する。本半径方向圧縮の効果は、継手１２８の周囲に恒久的液密密閉を作成することである。結果として生じる密閉は、特に、小ボアまたは毛細管サイズの導管において、非常に効果的であることが分かっている。例えば、ミリメートルスケールの導管から加工される微少流体導管アセンブリでは、密閉された継手１２８は、故障せずに、１０，０００ｐｓｉを上回る流体圧力に耐えることが可能であることが分かっている。いくつかの評価では、これらの微少流体導管アセンブリにおける流体シールの完全性は、約６０，０００ｐｓｉ程度もの圧力を維持した。
【００３２】
また、図１Ｂに示されるように、可鍛性材料は、外被１１６と導管１０４および１０８との間の環状空間を通して軸方向に押出される。所与の実施形態において提供される可鍛性材料の量および印加される力の量に応じて、可鍛性材料の部分１５０および１５２は、外被１１６の軸方向端から押出され得る。押出された部分１５０および１５２は、所望に応じて、任意の好適な手段（例えば、切断）によって、微少流体導管アセンブリ１００から除去されてもよい。典型的実施形態では、外被１１６の軸方向端からの押出成形は、適正な流体密閉が形成されることを保証するために必要ではない。
【００３３】
いくつかの実施形態では、外被１１６の軸方向長は、１ｍｍ〜１００ｍｍに及ぶ。概して、可鍛性層１１２の初期または公称軸方向長（すなわち、圧縮前）は、図１Ａに図示されるように、外被１１６の軸方向長と同一であってもよく、または代替として、外被１１６の軸方向長を上回る、またはそれ未満であってもよい。
【００３４】
図１Ｂに図示される半径方向圧縮力の印加は、種々の方法で実装されてもよい。一実施例では、分裂コレット（２つ以上のセグメントに分割される）が、外被１１６の周囲に定置され、外被１１６上のいくつかの点において、半径方向力を印加するように構成されてもよい。半径方向力は、続いて、コレットに対して外被１１６を回転させ、半径方向力の印加を繰り返すことによって、付加的点に印加されてもよい。別の実施例では、回転式スエージングまたは管スエージング技法が、採用されてもよい。全てのそのような場合において、従来のフェルールおよび圧縮接手は、本明細書に開示される密閉された微少流体導管アセンブリ１００の加工に要求されないことが分かり得る。接着剤もまた、要求されない。
【００３５】
前述のように、いくつかの実施形態では、導管１０４、１０８の一方または両方は、最初は、導管１０４、１０８が可鍛性材料（例えば、ＰＥＥＫｓｉｌＴＭ管類）の外側コーティングを有する、複合材形態で提供されてもよい。可鍛性外側コーティングの厚さは、例えば、０．０１〜１ｍｍに及び得る。そのような複合材導管は、前述の密閉された微少流体導管アセンブリ１００の加工において、可鍛性層１１２と併用されてもよい。可鍛性外側コーティングは、概して、可鍛性層１１２と同一の様式で半径方向に圧縮および押出されるであろう。第１の導管１０４および第２の導管１０８の個別の可鍛性外側コーティングは、継手１２８の近傍で相互内に軸方向に押出され、個別の可鍛性外側コーティングはそれぞれ、継手１２８の密閉に寄与し得る。半径方向圧縮力の印加に応じて、可鍛性層１１２および個別の可鍛性外側コーティングは、ある程度、これらの材料間の初期境界が、もはや判別不能または少なくともほぼ判別不能であり得るほど、相互に融合し得る。
【００３６】
いくつかの実施形態では、導管１０４および１０８は両方とも、最初は、導管１０４および１０８がそれぞれ、可鍛性材料の外側コーティングを有する、複合材形態で提供されてもよい。そのように提供される可鍛性材料の厚さおよび量は、可鍛性材料の付加的層が必要とされないように、密閉された微少流体導管アセンブリ１００を加工する際に使用するために十分であり得る。図１Ａおよび１Ｂは、第１の導管１０４および第２の導管１０８の個別の可鍛性外側コーティングを表す、可鍛性層１１２を伴う、これらの実施形態を描写すると見なされ得る。これらの実施形態では、第１の導管１０４および第２の導管１０８は、適切に定寸された外被１１６の両端を通してそれらを挿入することによって、相互と接触されてもよい。
【００３７】
他の実施形態では、３つ以上の導管が、本明細書に説明される方法のいずれかに従って、複数の密閉された継手を提供することによって、直列にともに接続されてもよい。
【００３８】
図１Ｂに図示されるような密閉された微少流体導管アセンブリ１００は、２つの個別の導管間に密閉された継手を要求する、任意の微少流体用途において利用されてもよい。実施例として、微少流体チップ、ラボオンチップ、マイクロ全分析システム（μ−ＴＡＳ）、微小電気機械システム（ＭＥＭＳ）、およびマイクロスケールおよびナノスケール流体混合器、希釈装置、流体導入または分注デバイス、分光フローセル、およびＨＰＬＣシステムが挙げられるが、それらに限定されない。密閉された微少流体導管アセンブリ１００は、特に、狭い空間における取付のためにコンパクトな微少流体接続を要求する用途、高圧力微少流体接続を要求する用途、および分析用分離を伴い、したがって、最小信号／ピーク分散を要求する用途において有用であり得る。密閉された微少流体導管アセンブリ１００は、概して、典型的には、従来の流体接続と関連付けられる、より高価かつ嵩張る機械加工された接手の代用において採用されてもよい。さらに、本明細書に開示される加工の方法は、低コストで密閉された微少流体導管アセンブリ１００を生産するように、容易に拡張され得る。多くの用途に対して、密閉された微少流体導管アセンブリ１００の低コスト、信頼性、および廃棄性は、有用寿命を延長し、交換を回避するために、点検を要求する、より高価な流体接続より有利であると見なされ得る。加えて、密閉された微少流体導管アセンブリ１００は、液体試料流動が、最小死容積および分散を伴って行なわれるべきである分析用システムにおいて有用である。
【００３９】
また、微少流体導管アセンブリ１００を加工するための方法は、異なる材料から成る２つの導管を接続するために高度に互換性がある。多くの用途に対して、これは、両タイプの材料の利点が利用されることを可能にする。例えば、溶融石英管類は、非常に厳密な内径公差を提供し得るが、脆弱性かつ非伝導性であり得る。一方、ステンレス鋼は、非常に頑強かつ伝導性であるが、非常に大きな内径公差を有し得る。溶融石英導管と金属導管との間で行なわれる接続は、微少流体導管アセンブリ１００が、精密な直径公差および強固な端部を伴って作製されることを可能にし得る。精密な直径公差は、デバイスが、分散および流動インピーダンス等の再現可能仕様を伴って製造されることを可能にする。
【００４０】
図２Ａは、組立の完了に先立った（特に、半径方向圧縮力を印加する前の）、別の実施形態による、微少流体導管アセンブリ２００の実施例の断面図である。図２Ｂは、組立完了後の、すなわち、半径方向圧縮力を印加後の、微少流体導管アセンブリ２００の断面図である。微少流体導管アセンブリ２００の特徴または構成要素のいくつかは、前述され、図１Ａおよび１Ｂに図示される、微少流体導管アセンブリ１００のものと同一または同様であってもよく、故に、図２Ａおよび２Ｂでは、同一または類似参照番号によって指定される。微少流体導管アセンブリ２００は、第１の導管１０４と第２の導管１０８との間に軸方向に介在されるフィルタ２５６を含む。故に、本実施形態では、継手２２８は、第１の導管１０４とフィルタ２５６との間の界面および第２の導管１０８とフィルタ２５６との間の界面によって画定される。典型的実施形態では、フィルタ２５６は、図示されるように、円盤形状である。フィルタ２５６は、当業者によって理解されるように、メッシュフィルタまたは多孔性フリット等の任意のタイプの構成を有してもよい。本実施形態では、継手２２８は、第１の導管１０４を片側のフィルタ２５６と接触させ、第２の導管１０８を反対側のフィルタ２５６と接触させることによって形成される。可鍛性層１１２は、スリーブとして、または代替として、前述のように、導管１０４、１０８の一方または両方の周囲のコーティングまたは被覆として提供されてもよい。
【００４１】
図２Ｂに図示されるような密閉された微少流体導管アセンブリ２００は、密閉された微少流体導管アセンブリ１００に関連して前述された実施例のような２つの個別の導管間に密閉された継手を要求し、加えて、粒子濾過を要求する、任意の微少流体用途において利用されてもよい。実施例として、密閉された微少流体導管アセンブリ２００は、流体ポンプへの入力ラインまたはそこからの出力ライン内において、あるいはＨＰＬＣ分析用カラムの上流に位置する、前置カラムフィルタとして、採用されてもよい。別の実施例では、密閉された微少流体導管アセンブリ２００は、分析用カラムの（例えば、端部キャップ内の）入力端部および／または出力端部として使用するために適合されてもよい。この場合、フィルタ２５６は、固定相を分析用カラム内に十分に充填された状態を保定する一方、移動相が、分析用カラムを通して通過することを可能にする、フリットとしての役割を果たしてもよい。密閉された微少流体導管アセンブリ２００はまた、密閉された微少流体導管アセンブリ１００に関連して前述された利点のうちの１つ以上を提供し得る。
【００４２】
図３は、別の実施形態による、微少流体導管アセンブリ３００の実施例の断面図である。微少流体導管アセンブリ３００の特徴または構成要素のいくつかは、前述され、図１Ａおよび１Ｂに図示される、微少流体導管アセンブリ１００のものと同一または同様であってもよく、故に、図３では、同一のまたは類似参照番号によって指定される。本実施形態では、第１の導管１０４および第２の導管１０８は、異なる外径を有する。具体的に図示される実施例では、第２の導管１０８の外径は、第１の導管１０４のものより大きい。第１の導管１０４および第２の導管１０８の内径は、同一または異なってもよい。可鍛性層１１２は、スリーブの形態で提供されてもよい。本実施形態では、可鍛性層１１２は、流体密閉形成材料と、第１の導管１０４および第２の導管１０８の異なる外径を補償するための構成材料とを提供する二重目的を果たす。外被１１６は、より大きな直径の第２の導管１０８の周囲に緊密に嵌合するように定寸される。継手３２８は、第１の導管１０４を可鍛性層１１２内に挿入し、第１の導管１０４および可鍛性層１１２を外被１１６の一方の軸方向端を通して挿入し、第２の導管１０８を外被１１６の反対の軸方向端を通して挿入することによって形成される。第１の導管１０４および第２の導管１０８の個別の軸方向端は、外被１１６の内部内に相互に当接接触させられる。本時点において、可鍛性層１１２は、第２の導管１０８の端面３６０と接触してもよく、またはそうでなくてもよい。
【００４３】
継手３２８は、次いで、継手３２８からある軸方向距離、すなわち、図３における矢印によって図式的に示されるように、可鍛性層１１２および第１の軸方向端区画１２０と半径方向に整合される、第１の軸方向位置において、半径方向力１３６を外被の外側表面１１６に印加することによって密閉される。半径方向力１３６は、図１Ｂに関連して前述のものと同一または類似の技法を使用して印加されてもよい。故に、半径方向力１３６は、外被の外側表面１１６の周囲の複数の円周方向場所で印加されてもよく、かつ外被１１６の外側表面上のまたは外側表面の連続面積にわたる、局所接触点で印加されてもよい。半径方向力１３６の印加は、外被１１６に可鍛性層１１２に対して重みをかけさせ、それによって、外被１１６と第１の軸方向端区画１２０との間の可鍛性材料を半径方向に圧縮する。本半径方向圧縮に応答して、可鍛性材料は、押出成形のために利用可能な全方向に押出される。その結果、可鍛性材料は、継手３２８に対して圧縮され、２つの導管１０４および１０８の個別の軸方向端の界面間に既存のいかなる空間も充填し、それによって、継手３２８の周囲に恒久的液密密閉を作成する。十分な半径方向力が提供されると、可鍛性材料の一部（図示せず）は、第１の導管１０４を囲繞する外被１１６の軸方向端から押出され得、所望に応じて、密閉された微少流体導管アセンブリ３００から除去されてもよい。
【００４４】
いくつかの実装では、可鍛性層１１２は、最初に、第１の導管１０４に提供される、コーティングまたは被覆を表し得る。
【００４５】
いくつかの実装では、第２の導管１０８と外側外被１１６との間に同軸で嵌合するように定寸される、第２の可鍛性層３６４は、図３における破線によって図式的に描写されるように提供されてもよい。第２の可鍛性層３６４は、最初は、第２の導管１０８と別個の構成要素として提供される、スリーブであってもよい。代替として、第２の導管１０８は、外側コーティングまたは被覆として、第２の可鍛性層３６４を含む、複合材構造として提供されてもよい。いずれの場合も、第２の半径方向力１４０は、図３における矢印によって図式的に示されるように、第１の軸方向位置に対して継手３２８の反対側で第２の可鍛性層３６４および第２の軸方向端区画１２４と半径方向に整合された第２の軸方向位置において、外被１１６の外側表面に印加されてもよい。このように、第２の可鍛性層３６４の半径方向圧縮は、継手３２８の密閉に寄与し得る。
【００４６】
図３に図示されるような密閉された微少流体導管アセンブリ３００は、密閉された微少流体導管アセンブリ１００に関連して前述の実施例のように、２つの個別の導管間に密閉された継手を要求する、任意の微少流体用途において利用されてもよい。密閉された微少流体導管アセンブリ３００は、特に、異なる外径を有する２つの導管間に微少流体接続を要求する用途において有用である。密閉された微少流体導管アセンブリ３００はまた、密閉された微少流体導管アセンブリ１００と関連して前述の利点のうちの１つ以上を提供し得る。
【００４７】
一実施例では、密閉された微少流体導管アセンブリ３００は、電気スプレーイオン化（ＥＳＩ）の公知の技法に従って、大気圧イオン化（ＡＰＩ）界面における液体試料をイオン化するための電気スプレープローブとして利用される、またはその一部を形成してもよい。本実施例では、第１の導管１０４は、電気伝導性材料から成り、電気スプレー針（または、電気スプレー先端）としての役割を果たす。密閉された微少流体導管アセンブリ３００によって提供される小型のコンパクトな微少流体接続は、電気スプレープローブが、低分散流体路を提供することを可能にする。
【００４８】
電気スプレープローブの一非限定的実施例では、第１の導管１０４は、３１６Ｌステンレス鋼管類であって、軸方向長０．６２５インチ、内径０．００２＋／−０．００１インチ、および外径０．０１２＋／−０．００５インチを有する。第２の導管１０８は、ＰＥＥＫｓｉｌＴＭ複合材であって、軸方向長２０．０ｃｍ、内径５０μｍ、および外径１／３２インチを有する。可鍛性層１１２は、ＰＥＥＫまたはポリイミドであって、軸方向長０．１５インチおよび内径０．０１３インチを有する。外被１１６は、３１６Ｌステンレス鋼管類であって、軸方向長０．７５＋／−０．０２インチ、内径０．０３１＋０．００１／−０．００５インチ、および外径０．０４２＋／−０．００２インチを有する。
【００４９】
図４は、前述され、図３に図示されるように加工されるとき、電気スプレープローブによって提供される、改良された分散の実施例を図示する。具体的には、図４は、４つの異なる電気スプレープローブに対する経時的（秒単位）信号強度（カウント単位）のプロットである。各プローブの針（第１の導管）は、ステンレス鋼であって、異なる内径を有していた。各プローブは、同一の流速（１０μＬ／分）で同一の検体試料を流動させることによって試験された。４つのプローブは、４つのピーク４０２、４０４、４０６、４０８を生成し、比較目的のために、図４において、相互に重畳される。第１のプローブは、内径１００μｍを有する針を具備する、市販のプローブであった。第１のプローブによって生成されるピーク４０２は、非常に不鮮明である。第２のプローブは、針が内径６５μｍを有する、第１のプローブの修正されたバージョンであった。第２のプローブによって生成されるピーク４０４は、第１のプローブによって生成されるピーク４０２よりはるかに分散が少ない。第３および第４のプローブは、それぞれ、内径５０μｍおよび２５μｍを有する針を伴って、前述され、図３に図示されるように加工された。第３のプローブによって生成されるピーク４０６は、ピーク４０２および４０４と比較して改良されている。第４のプローブによって生成されるピーク４０８は、劇的に改良され、ピーク幅（ＦＷＨＭ、または半値全幅）０．３秒を呈している。
【００５０】
図５は、別の実施形態による、流動モジュール５００の概略図である。流動モジュール５００は、概して、流動制限器５７０と、流動制限器５７０と流動的に連通する、１つ以上の圧力センサ５７４とを含む。流動制限器５７０は、３つの導管を直列に接続するように、相互から軸方向に離間された２つの密閉された継手を含む、密閉された微少流体導管アセンブリである。具体的には、流動制限器５７０は、一方の軸方向端において、第２の導管１０８に、他方の軸方向端において、第３の導管５０８に接続される、第１の導管１０４によって画定される。第１の導管１０４は、第１の密閉された継手５２８によって、第２の導管１０８に、第２の密閉された継手５７８によって、第３の導管５０８に接続される。密閉された継手５２８および５７８は、前述され、図１Ａ−３に図示される方法のいずれかに従って加工される。可鍛性層（具体的には図示せず）は、１つ以上の個別の構成要素として提供されてもよい。実施例として、可鍛性層は、第１の導管１０４の軸方向長の大部分に及ぶ、または第１の導管１０４の軸方向長とほぼ同一である、または第１の導管１０４より大きく、第２のおよび第３の導管１０８および５０８と重複する、初期軸方向長を有する単一構成要素として提供されてもよい。別の実施例として、第１の可鍛性層は、第１の継手５２８が形成される場所に提供されてもよく、第２の可鍛性層は、第２の継手５７８が形成される場所に提供されてもよい。別の実施例として、導管１０４、１０８、５０８のうちの１つ以上は、前述のような可鍛性材料のコーティングまたは被覆を含んでもよい。
【００５１】
流動モジュール５７０の第１の導管１０４、第２の導管１０８、および第３の導管５０８はそれぞれ、第１の内径、第２の内径、および第３の内径を有する。第１の内径は、第２および第３の内径未満であって、典型的には、第２および第３の内径は、同一である。第１の導管１０４、第２の導管１０８、および第３の導管５０８の個別の外径は、同一または異なってもよい。そのより小さい内径のため、第１の導管１０４は、第１の導管１０４、第２の導管１０８、および第３の導管５０８を通して画定される流体流路内に減少流動面積を導入する。故に、圧力降下は、第１の導管１０４の軸方向長を横断して観察され、これは、当業者によって理解されるように、導管１０４、１０８、５０８を通る流速と相関され得る。本目的のために、圧力センサ５７４からの流体ライン５８２および５８４はそれぞれ、第１の導管１０４の軸方向端近傍の流体流路と連通する。流体ライン５８２および５８４はそれぞれ、任意の好適な手段によって、第２の導管１０８および第３の導管５０８内にネジ切りされてもよい。圧力センサ５７４は、圧力降下を測定するための任意の好適な構成を有してもよい。一実施例では、圧力センサ５７４は、圧力降下を測定するために構成される、単一圧力センサである。別の実施例では、圧力センサ５７４は、第１の導管１０４の一方の軸方向端における圧力を測定するための１つの流体ライン５８２と関連付けられた１つの圧力センサと、第１の導管１０４の他方の軸方向端における圧力を測定するための他の流体ライン５８４と関連付けられた別の圧力センサとを含む。後者の実施例では、２つの圧力示度値は、比較され（例えば、一方の示度値が、他方の示度値から減算される）、圧力降下を判定してもよい。圧力センサ５７４からの出力信号５８８は、フィードバック信号として、電子コントローラ（図示せず）に伝送され、電子コントローラが、流速を制御することを可能にしてもよい（マイクロポンプを制御すること等によって）。
【００５２】
流動モジュール５００は、密閉された微少流体導管アセンブリ１００と関連して前述の利点のうちの１つ以上を提供してもよい。これらは、例えば、異なるサイズの導管間の接続、異なる材料組成物の導管間の接続、およびより精密かつ頑強な流体接続の提供を促進することを含み得る。
【００５３】
本発明の種々の側面または詳細は、本発明の範囲から逸脱することなく、変更されてもよいことを理解されるであろう。さらに、前述の説明は、例証目的のためにすぎず、限定目的ではない。すなわち、本発明は、請求項によって定義される。
【図１Ａ】
0006054983.tif 000002
【図１Ｂ】
0006054983.tif 000003
【図２Ａ】
0006054983.tif 000004
【図２Ｂ】
0006054983.tif 000005
【図３】
0006054983.tif 000006
【図５】
0006054983.tif 000007
【図４】
0006054983.tif 000008